(57)【要約】【課題】Ｗａｋｅ  ｏｎ  ＬＡＮ機能を備え、且つ、簡単に被起動側情報処理装置のアドレス設定ができるアクセスポイント装置を提供する。【解決手段】ネットワークに接続するＬＡＮコネクタ１０１ｃ，１０１ｄと、メモリカード２０１を装着し得るメモリカードコネクタ１０１ｂとを備えたアクセスポイント装置１０１において、ＣＰＵ４００が、メモリカード２０１に記憶されたアドレス情報を用いて起動指示パケットを生成し、ＬＡＮコネクタ１０１ｃ，１０１ｄから前記起動指示パケットを送出するように制御する。【選択図】      図４
2005033266.tif 000002
【特許請求の範囲】
【請求項１】
ネットワークに接続する第一の接続手段と、記憶媒体を装着し得る第二の接続手段とを備えたアクセスポイント装置において、
前記記憶媒体に記憶されたアドレス情報を用いて起動指示パケットを生成する起動指示パケット生成手段と、
前記第一の接続手段から前記起動指示パケットを送出する起動指示パケット送出手段と
を備えたことを特徴とするアクセスポイント装置。
【請求項２】
請求項１に記載のアクセスポイント装置と、
前記第一の接続手段に接続された情報処理装置と、
電源スイッチを有し且つ前記情報処理装置のビデオ信号を表示する表示装置と、
前記表示装置と前記アクセスポイント装置とを接続する第三の接続手段とを具備して成り、
前記表示装置は、前記電源スイッチの押下に応答して、前記第三の接続手段を用いて前記アクセスポイント装置に第一の起動指示を送付し、
前記アクセスポイント装置は、前記表示装置からの第一の起動指示に応答して、前記第一の接続手段を用いて前記情報処理装置に第二の起動指示を送付することを特徴とするアクセスポイント装置を利用した表示システム。
【発明の詳細な説明】
【０００１】
【発明の属する技術分野】
本発明は、アクセスポイント装置及びアクセスポイント装置を利用した表示システムに関する。
【０００２】
【従来の技術】
近年、フロントプロジェクタ、リアプロジェクタ、プラズマディスプレイ等の大画面ディスプレイを中心に置き、表示画像を共有する電子会議システム等が提案されている。
【０００３】
このような電子会議システムは、通常、前記大画面ディスプレイに接続されたＰＣ（パーソナルコンピュータ）と、該ＰＣに対して表示用のファイルを送信するクライアント機器と、前記ＰＣと前記クライアント機器との仲立ちを行うアクセスポイント装置（ＡＰ）とから構成される。
【０００４】
また、前記ＰＣの電源をリモートで投入する方法として、Ｗａｋｅ  ｏｎ  ＬＡＮという技術が提案されている（非特許文献１、特許文献１，２参照）。これは、ＩｎｔｅｌとＭｉｃｒｏｓｏｆｔが策定するＰＣ９８（Ｗｉｎｄｏｗｓ（登録商標）プラットホーム用ハードウェアデザインガイドの’９８−’９９年版）のパワーマネージメントシステムに採りいれられた、ＯｎＮｏｗ（オンナウ）を実現するためのネットワークカードの機能である。これは、ＬＡＮコントローラに、ＰＣの電源がオフ状態（ＡＣ電源は供給されている状態）でもスタンバイ電源を供給しておき、特定の起動指示パケットのみをスキャンして、それを受信した時にシステムのメイン電源を投入するという技術である。この起動指示パケットには、通常Ｍａｇｉｃ  ＰａｃｋｅｔＴＭ（ＡＭＤ社）フレームと呼ばれる情報パケットが用いられる。これは、６バイトのＦＦｈとして定義される同期化ストリームに続き、前記ＬＡＮコントローラのＭＡＣアドレスの１６回繰り返しを含んだパケットである。
【０００５】
また、ネットワークに接続された全てまたは一部の画像形成装置の電源情報を一斉に入手するとともに、それぞれの画像形成装置の電源ＯＮ／ＯＦＦを設定可能にして、各画像形成装置の使用状況を統一的に管理、制御を行うという技術も提案されている（特許文献３，４参照）。
【０００６】
【非特許文献１】
Ｄｅｖｉｃｅ  Ｃｌａｓｓ  Ｐｏｗｅｒ  Ｍａｎａｇｅｍｅｎｔ  Ｒｅｆｅｒｅｎｃｅ  Ｓｐｅｃｉｆｉｃａｔｉｏｎｓ（ｈｔｔｐ：／／ｗｗｗ．ｍｉｃｒｏｓｏｆｔ．ｃｏｍ／ｈｗｄｅｖ／ｓｐｅｃｓ／ＰＭｒｅｆ／）の「Ｎｅｔｗｏｒｋ  Ｓｐｅｃｉｆｉｃａｔｉｏｎ」
【０００７】
【特許文献１】
特開平１１−３４５０４３号公報
【特許文献２】
特開２０００−９９４１４号公報
【特許文献３】
特開２００１−２１６１１８号公報
【特許文献４】
特開２００１−２１６１１９号公報
【０００８】
【発明が解決しようとする課題】
しかしながら、上述した従来例では、ディスプレイ、ＡＰ、ＰＣの各電源スイッチを別々に投入する必要があった。ＡＰには電源スイッチの無い機種も存在するが、それでも、ディスプレイ、ＰＣの電源スイッチは、それぞれ別々に投入する必要があった。特に、大画面ディスプレイがリアプロジェクタ等の大きな筐体を有する場合、その筐体内部にＰＣ及びＡＰが配置されることも多く、ＰＣやＡＰの電源スイッチにアクセスすることが困難になっていた。
【０００９】
また、上記Ｗａｋｅ  ｏｎ  ＬＡＮを用いてＰＣの電源をリモートで投入するためには、起動指示パケットを送出する必要があるので、別のＰＣを用いるのが普通であり、システムの肥大化を招いていた。
【００１０】
更に、起動指示パケットには、被起動側ＰＣに使用されるＬＡＮコントローラのＭＡＣアドレスを指定する必要があり、ＡＰのような入力手段を持たない機器でＷａｋｅ  ｏｎ  ＬＡＮ機能を実現するのは困難であった。
【００１１】
本発明は、上記従来技術の有する問題点を解消するためになされたもので、その第１の目的は、Ｗａｋｅ  ｏｎ  ＬＡＮ機能を備え、且つ、簡単に被起動側情報処理装置のアドレス設定ができるアクセスポイント装置を提供することである。
【００１２】
また、本発明の第２の目的は、前記アクセスポイント装置を使用し、ユーザの一操作で表示装置、アクセスポイント装置及び情報処理装置の各電源を連動させることが可能で、電子会議システム等に適用できる簡単な構成のアクセスポイント装置を利用した表示システムを提供することである。
【００１３】
【課題を解決するための手段】
上記第１の目的を達成するため、本発明のアクセスポイント装置は、ネットワークに接続する第一の接続手段と、記憶媒体を装着し得る第二の接続手段とを備えたアクセスポイント装置において、前記記憶媒体に記憶されたアドレス情報を用いて起動指示パケットを生成する起動指示パケット生成手段と、前記第一の接続手段から前記起動指示パケットを送出する起動指示パケット送出手段とを備えたことを特徴とする。
【００１４】
また、上記第２の目的を達成するため、本発明のアクセスポイント装置を利用した表示システムは、請求項１に記載のアクセスポイント装置と、前記第一の接続手段に接続された情報処理装置と、電源スイッチを有し且つ前記情報処理装置のビデオ信号を表示する表示装置と、前記表示装置と前記アクセスポイント装置とを接続する第三の接続手段とを具備して成り、前記表示装置は、前記電源スイッチの押下に応答して、前記第三の接続手段を用いて前記アクセスポイント装置に第一の起動指示を送付し、前記アクセスポイント装置は、前記表示装置からの第一の起動指示に応答して、前記第一の接続手段を用いて前記情報処理装置に第二の起動指示を送付することを特徴とする。
【００１５】
【発明の実施の形態】
以下、本発明の各実施の形態を図面に基づき説明する。
【００１６】
（第１の実施形態）
まず、本発明の第１の実施形態を、図１乃至図１２に基づき説明する。
【００１７】
図１は、本発明の第１の実施形態に係るアクセスポイント装置及び表示システムを備えた会議システムの概略構成を示す斜視図である。
【００１８】
図１において、１０１はアクセスポイント装置（以下、ＡＰと記述する）、１０２は表示装置であるプロジェクタ、１０３は情報処理装置であるコンピュータ（以下、ＰＣと記述する）で、プロジェクタ１０２にビデオ信号を送出するものであり、ＰＣ１０３及びＡＰ１０１は、プロジェクタ１０２の筐体１０２ａの内部に設置されている。１０２ｂはプロジェクタ１０２の表示領域、１０２ｃはプロジェクタ１０２の電源スイッチ、１０２ｄはドアノブで、このドアノブ１０２ｄを操作することで、プロジェクタ１０２の筐体１０２ａの下部ドア１０２ｅが開閉して、筐体１０２ａの内部にアクセスすることができる。
【００１９】
図２は、ＡＰ１０１の概略構成を示す斜視図である。
【００２０】
図２において、１０１はＡＰ、１０１ａはアンテナで、後述する無線ＬＡＮ制御部が無線データを送受信するためのものである。１０１ｂはメモリカード用コネクタで、メモリカード２０１が挿抜可能に取り付けられる。１０１ｃ，１０１ｄはＬＡＮコネクタで、それぞれＷＡＮ側、ＬＡＮ側コネクタになっている。実際には、ＷＡＮ側のコネクタ１０１ｃは、後述する基幹ＬＡＮへ接続され、４個あるＬＡＮ側のコネクタ１０１ｄは、その内の一つがＰＣ１０３へ接続される。
【００２１】
図３は、本実施の形態に係る表示システム全体の概略構成を示すブロック図である。
【００２２】
図３において、図１及び図２と同一部分には同一符号が付してある。
【００２３】
図３において、１０１はＡＰ、１０１ｂはコネクタ、１０２はプロジェクタ、１０２ｃは電源スイッチ、１０３はＰＣ、２０１はメモリカードである。３０１は電源オン・オフ要求信号で、プロジェクタ１０２からＡＰ１０１に対して電源オン要求信号、或いは電源オフ要求信号として送出される。これは、電源オン・オフ要求信号３０１がハイ（Ｈｉｇｈ）レベルの時に電源オンを要求し、ロー（Ｌｏｗ）レベルの時に電源オフを要求するという方法や、パルス列の種別で電源オン要求と電源オフ要求とを区別するという方法等がある。３０２ａはＬＡＮ信号で、ＰＣ１０３とＡＰ１０１のＬＡＮコネクタ１０１ｄとを接続してデータの送受信を行なう。３０３はビデオ信号で、ＰＣ１０３から出力され、プロジェクタ１０２へ入力される。３０４はＬＡＮ信号で、基幹ＬＡＮ３０５とＡＰ１０１のＬＡＮコネクタ１０１ｃとを接続し、基幹ＬＡＮ３０５上のサーバーＰＣ（不図示）とデータの送受信を行う。
【００２４】
図４は、ＡＰ１０１の内部概略構成を示すブロック図である。
【００２５】
図４において、４００はＣＰＵ（中央演算処理装置）で、ＡＰ１０１の全体制御を司るものであり、システムバス４０９を有している。
【００２６】
以下の４０１から４０８の構成要素は、このシステムバス４０９に接続されている。
【００２７】
４０１はＲＯＭ（リードオンリーメモリ）で、プログラムや各種データを記憶するものである。４０２はＲＡＭ（ランダムアクセスメモリ）で、プログラムをロードして実行したり、各種ワークとして使用するものである。４０３はＦＬＡＳＨ  ＲＯＭから成る不揮発性メモリで、ＰＣ１０３のネットワークアドレス情報等を記憶するためのものである。４０４は入力ポートで、プロジェクタ１０２から出力される電源オン・オフ要求信号３０１が入力され、ＣＰＵ４００がシステムバス４０９を介して電源オン・オフ要求信号３０１の状態を読み出せるようになっている。４０５は有線ＬＡＮ制御部で、信号４１２によりハブコントローラ４１１が接続される。ハブコントローラ４１１からの４つの出力３０２ａ，３０２ｂ，３０２ｃ，３０２ｄは、４個のコネクタ１０１ｄ（図２参照）に対応しており、その内の一つであるＬＡＮ信号３０２ａがＰＣ１０３に入力され、有線ＬＡＮ制御部４０５←→信号４１２←→ハブコントローラ４１１←→ＬＡＮ信号３０２ａ←→ＰＣ１０３の経路でデータの送受信が可能になっている。
【００２８】
４０６は有線ＬＡＮ制御部で、ＬＡＮ信号３０４が基幹ＬＡＮ３０５（図３参照）に入力され、データの送受信が可能になっている。４０７は無線ＬＡＮ制御部で、アンテナ１０１ａ（図２参照）を介して不図示の無線クライアント機器との接続に使用される。４０８はカードコントローラで、制御信号４１０を介してメモリカード２０１が接続される。即ち、ＣＰＵ４００は、カードコントローラ４０８を介してメモリカード２０１にアクセスすることができる。また、カードコントローラ４０８は、メモリカード２０１の装着の有無を検出することができる。
【００２９】
以上の構成により、ＡＰ１０１は、ＣＰＵ４００の支配下で、ハブコントローラ４１１経由で有線ＬＡＮ制御部４０５に接続されたＰＣ１０３、有線ＬＡＮ制御部４０６に接続された基幹ＬＡＮ３０５上のサーバー（不図示）及び無線ＬＡＮ制御部４０６に接続された無線クライアント機器（不図示）のそれぞれの間のデータ転送を制御する。
【００３０】
図５は、ＰＣ１０３の内部概略構成を示すブロック図である。
【００３１】
図５において、５００はＣＰＵ（中央演算処理装置）で、ＰＣ１０３の全体制御を司るもので、システムバス５０６を有している。
【００３２】
以下の５０１から５０５の構成要素は、このシステムバス５０６に接続されている。
【００３３】
５０１は表示制御部で、ビデオ信号３０３によりプロジェクタ１０２（図１参照）へ接続される。５０２はキーボード、マウス等の入力装置、５０３はメモリで、プログラムをロードして実行したり、各種ワークとして使用するものである。５０４はハードディスク、フロッピー（登録商標）ディスク等の記憶装置である。５０５は有線ＬＡＮ制御部で、電源制御出力端子５０９を有し、ＬＡＮ信号３０２ａ、ハブコントローラ４１１、信号４１２を経由してＡＰ１０１の有線ＬＡＮ制御部４０５（図４参照）と接続されている。また、有線ＬＡＮ制御部５０５は、固有のＭＡＣアドレスを有しており、Ｗａｋｅ  ｏｎ  ＬＡＮ機能を使用時に用いられる。５０８はＯＲゲート素子で、その入力端子には、有線ＬＡＮ制御部５０５の電源制御信号出力端子５０９からの電源制御信号と、システムバス５０６よりシステムからの電源制御出力５１０とが入力される。５０７は電源部で、ＡＣ電力が供給されると出力されるスタンバイ電源５１１の出力端子５１１ａ、メイン電源５１２の出力端子５１２ａ及びこのメイン電源５１２をオン・オフ制御する電源オン・オフ制御信号５１３の入力端子５１３ａとを有している。スタンバイ電源５１１は、有線ＬＡＮ制御部５０５、ＯＲゲート素子５０８に供給され、メイン電源５１２は、ＰＣ１０３（図１参照）の各部に供給される。また、電源オン・オフ制御信号入力端子５１３ａには、ＯＲゲート素子５０８の出力端子５０８ａが接続されている。
【００３４】
以上の構成により、ＬＡＮ信号３０２ａで自己のＭＡＣアドレスを含んだ起動パケットを受け取ると、有線ＬＡＮ制御部５０５は、電源制御出力端子５０９からの電源制御信号により、ＯＲゲート素子５０８を経由してメイン電源５１２をオンにして、システムを起動することが可能である。
【００３５】
図６は、プロジェクタ１０２の内部概略構成を示すブロック図であり、同図においては、本発明に係わる部分のみが記載してある。
【００３６】
図６において、６００は電源部であり、スイッチング電源６０１、メイン電源６０４をオン・オフするスイッチ６０２、ＡＣ電力が供給されると自動的に出力されるスタンバイ電源６０３、メイン電源６０４、スイッチ６０２の制御端子６０５等を有している。６０６はワンチップマイコンで構成されるＣＰＵ（中央演算処理装置）で、出力ポート６０７，６０８、入力ポート６０９、プログラムや各種データ、エラーメッセージ等を記憶したＲＯＭ（リードオンリーメモリ）６１０、プログラムをロードして実行したり各種ワークとして使用するＲＡＭ（ランダムアクセスメモリ）６１１、タイマ６１２、システムバス６１３等を有している。
【００３７】
ここで、スタンバイ電源６０３はＣＰＵ６０６に供給されており、プロジェクタ１０２（図１参照）にＡＣ電力が供給されると、スタンバイ電源６０３が出力されて、ＣＰＵ６０６が動作を開始する。
【００３８】
メイン電源６０４は、後述する表示制御部６１４を含む不図示の各部へ供給されているが、このメイン電源６０４をオン・オフ制御するスイッチ６０２の制御端子６０５にはＣＰＵ６０６の出力ポート６０８が接続され、ＣＰＵ６０６の制御下でメイン電源６０４をオン・オフ制御する。同様に、出力ポート６０７は、ＡＰ１０１（図１参照）に対するオン・オフ要求信号３０１（図３参照）として機能し、ＣＰＵ６０６の制御下でＡＰ１０１に対する電源オン要求、或いは電源オフ要求を行なう。また、入力ポート６０９は、電源スイッチ１０２ｃ（図２及び図３参照）に接続されており、電源スイッチ１０２ｃの押下状況をポーリングするのに使用する。６１４は表示制御部であり、システムバス６１３を介してＣＰＵ６０６に接続されており、このＣＰＵ６０６の制御下で動作する。また、ＰＣ１０３（図１参照）からビデオ信号３０３にて送信される表示データを表示領域１０２ｂ（図１参照）に表示する。
【００３９】
以上の構成に成る本実施の形態に係るアクセスポイント装置及び表示システムを有する会議システムの動作を、図７を用いて説明する。
【００４０】
図７は、ＡＰ１０１の動作の流れを示すフローチャートであり、本発明に係わる部分を中心に記載してある。
【００４１】
図７において、まず、ステップＳ７００で、ＡＰ１０１にＡＣパワーが供給されと、次のステップＳ７０１で、ＣＰＵ４００が動作を開始する。この状態では、ＣＰＵ４００の周辺では、ＲＯＭ４０１、ＲＡＭ４０２、ＦＬＡＳＨ  ＲＯＭ４０３及び入力ポート４０４がアクティブになっている。
【００４２】
次に、ステップＳ７０２で、入力ポート４０４を用いて電源オン・オフ要求信号３０１の状態をチェックし、電源オン要求状態になっていればステップＳ７０３へ進み、電源オン要求状態になっていなければステップＳ７０２でループする。このステップＳ７０２でのループがＡＣパワー供給後の電源オフ状態であり、ＣＰＵ４００は、低消費電力モードで動作する。ここでは、電源オン・オフ要求信号３０１の状態をチェックするだけなので、数１０ｍｓ毎に動作を行なって入力ポートをチェックするといった動作で充分である。この低消費電力モード動作については既知の技術であるから、ここでの説明は省略する。
【００４３】
ステップＳ７０３では、有線ＬＡＮ制御部４０５，４０６、無線ＬＡＮ制御部４０７等を初期化してアクティブにした後、次のステップＳ７０４へ進む。
【００４４】
ステップＳ７０４では、カードコントローラ４０８経由でメモリカード２０１の装着の有無をチェックする。メモリカード２０１がコネクタ１０１ｂに挿入されていればステップＳ７０５へ進み、また、挿入されていなければステップＳ７０８へ進む。
【００４５】
ステップＳ７０５では、図１０に示したように、メモリカード２０１上に特定名称のファイル、ここでは「ａｄｄｄｒｅｓｓ．ｔｘｔ」というファイルの有無をチェックする。前記ファイル「ａｄｄｄｒｅｓｓ．ｔｘｔ」が存在する場合にはステップＳ７０６へ進み、存在しない場合にはステップＳ７０８へ進む。
【００４６】
ステップＳ７０６では、メモリカード２０１上の前記ファイルを、図１１に示したように、ＦＬＡＳＨ  ＲＯＭ４０３へコピーする。この時、ＦＬＡＳＨ  ＲＯＭ４０３上に前記ファイル「ａｄｄｄｒｅｓｓ．ｔｘｔ」が存在する場合には、上書きコピーを行なう。
【００４７】
次に、ステップ７０７において、前記ファイル「ａｄｄｄｒｅｓｓ．ｔｘｔ」を開き、該ファイルに記載してあるアドレスを含んだ起動パケットを生成し、有線ＬＡＮ制御部４０５から、信号４１２、ハブコントローラ４１１を経由して送出し、更にステップＳ７０９で通常動作を開始する。
【００４８】
図１２は、前記ファイル「ａｄｄｄｒｅｓｓ．ｔｘｔ」の一例を示す図である。該ファイルは、操作者によってＰＣ１０３或いは不図示のノートＰＣ等で作成され、メモリカード２０１に書き込まれる。初期状態では、このメモリカード２０１によってＡＰ１０１へ供給されることとなる。通常、前記ファイル「ａｄｄｄｒｅｓｓ．ｔｘｔ」には、ＰＣ１０３の有線ＬＡＮ制御部５０５のＭＡＣアドレスを記載しておく。よって、記載されるＭＡＣアドレスは一つのはずであるが、図１２に示すように複数記載することも可能である。この場合、ステップＳ７０７にて、前記ファイル「ａｄｄｄｒｅｓｓ．ｔｘｔ」に記載されたＭＡＣアドレス数分の起動パケットを生成して送出する。これにより、ハブコントローラ４１１に複数のコンピュータが接続されている場合でも、全コンピュータの有線ＬＡＮ制御部のＭＡＣアドレスを前記ファイル「ａｄｄｄｒｅｓｓ．ｔｘｔ」に記載しておくことで、ステップＳ７０７にて全コンピュータに起動パケットを送出することが可能になる。
【００４９】
逆に、前記ファイル「ａｄｄｄｒｅｓｓ．ｔｘｔ」にＭＡＣアドレスを記載しなければ、ステップＳ７０７で起動パケットを送出することがなくなり、Ｗａｋｅ  ｏｎ  ＬＡＮ機能を停止させることが可能である。
【００５０】
一方、前記ステップＳ７０４及びステップＳ７０５の分岐先であるステップＳ７０８では、図１１に示したように、ＦＬＡＳＨ  ＲＯＭ４０３上に前記ファイル「ａｄｄｄｒｅｓｓ．ｔｘｔ」が存在するか否かのチェックを行なう。そして、前記ファイル「ａｄｄｄｒｅｓｓ．ｔｘｔ」が存在すれば、前記ステップＳ７０７でＰＣ１０３へ起動パケットを送信した後、ステップＳ７０９で通常動作を開始する。
【００５１】
ＦＬＡＳＨ  ＲＯＭ４０３上に前記ファイル「ａｄｄｄｒｅｓｓ．ｔｘｔ」が存在するのは、ＡＰ１０１がこれ以前に起動された時にステップＳ７０６を実行し、メモリカード２０１から前記ファイル「ａｄｄｄｒｅｓｓ．ｔｘｔ」がコピーされているからである。
【００５２】
前記ステップＳ７０８において、ＦＬＡＳＨ  ＲＯＭ４０３上に前記ファイル「ａｄｄｄｒｅｓｓ．ｔｘｔ」が存在しない場合には、前記ステップＳ７０４へ戻る。即ち、ＦＬＡＳＨ  ＲＯＭ４０３上に前記ファイル「ａｄｄｄｒｅｓｓ．ｔｘｔ」が存在せず、メモリカード２０１がコネクタ１０１ｂに挿入されていない場合には、ステップＳ７０４及びステップＳ７０８でループし、操作者によるコネクタ１０１ｂへのメモリカード２０１の挿入を待つ。
【００５３】
また、ＦＬＡＳＨ  ＲＯＭ４０３上に前記ファイル「ａｄｄｄｒｅｓｓ．ｔｘｔ」が存在せず、メモリカード２０１はコネクタ１０１ｂに挿入されているが、メモリカード２０１上にも前記ファイル「ａｄｄｄｒｅｓｓ．ｔｘｔ」が存在しない場合には、ステップＳ７０４、ステップＳ７０５及びステップＳ７０８でループし、操作者により前記ファイル「ａｄｄｄｒｅｓｓ．ｔｘｔ」が書き込まれたメモリカード２０１へ交換されるのを待つ。
【００５４】
図８は、ＰＣ１０３の動作の流れを示すフローチャートであり、本発明に係わる部分を中心に記載してある。
【００５５】
図８において、まず、ステップＳ８００で、ＰＣ１０３にＡＣ電源が供給されると、ステップＳ８０１でスタンバイ電源５１１の供給が開始され、次のステップＳ８０２で、有線ＬＡＮ制御部５０５への給電が開始される。給電された有線ＬＡＮ制御部５０５は、Ｗａｋｅ  ｏｎ  ＬＡＮ機能により、起動パケットを受信するまでステップＳ８０３でループする。このステップＳ８０３でのループがＡＣ電源供給後の電源オフ状態である。
【００５６】
ステップＳ８０３で、有線ＬＡＮ制御部５０５は、自己のＭＡＣアドレスを含んだ起動パケットを受け取ると、電源投入指示出力端子５０９からの電源投入指示信号によりＯＲゲート素子５０８を経由して電源部５０７へ指示を送り、メイン電源５１２をオンにしてステップＳ８０４で、ＰＣ１０３を起動する。その後、ステップＳ８０５で、通常動作を開始する。
【００５７】
以上述べた中で、前記ステップＳ８０３において起動パケットを受け取るのは、図７のステップＳ７０７を受けてのことである。即ち、ＡＰ１０１が図７のステップＳ７０７で起動パケットを送出し、それを受けたＰＣ１０３は、図８のステップＳ８０３でそれを検出して、次のステップＳ８０４でＰＣ１０３の起動を実行している。
【００５８】
図９は、プロジェクタ１０２の動作の流れを示すフローチャートであり、本発明に係わる部分を中心に記載してある。
【００５９】
図９において、まず、ステップＳ９００で、プロジェクタ１０２にＡＣ電源が供給されると、次のステップＳ９０１で、ＣＰＵ６０６に対して電源６０３が供給され、次のステップＳ９０２で、ＣＰＵ６０６が動作を開始する。動作を開始したＣＰＵ６０６は、次のステップＳ９０３で入力ポート６０９を介して電源スイッチ１０２ｃの状態を読み出し、この電源スイッチ１０２ｃが押下されるのを待つ。即ち、電源スイッチ１０２ｃが押下されるまでステップＳ９０３でループし、電源スイッチ１０２ｃが押下されたらステップＳ９０４へ進む。このステップＳ９０３でのループがＡＣ電源供給後の電源オフ状態であり、電源６０３は供給されているが、メイン電源６０４は供給されていない。電源スイッチ１０２ｃが押下されてステップＳ９０４へ進むと、ＣＰＵ６０６は出力ポート６０８を操作して、電源部６００のスイッチ６０２をオンにし、メイン電源６０４をプロジェクタ１０２の各部に供給開始する。続いてステップＳ９０５で、ＣＰＵ６０６は、出力ポート６０７を用いて電源オン・オフ要求信号３０１でＡＰ１０１に対して電源オン要求信号を送り、ステップＳ９０６へ進む。
【００６０】
ステップＳ９０６では、表示制御部６１４に対してＰＣ１０３からビデオ信号３０３が送出されているか否かのチェックを行なう。そして、ビデオ信号３０３が送出されていればステップＳ９１４へ進んで通常動作を開始する。前記ステップＳ９０６において、ビデオ信号３０３がＰＣ１０３から送出されているということは、ＡＰ１０１及びＰＣ１０３の電源が投入され、正常に動作を開始したということである。
【００６１】
一方、前記ステップＳ９０６においてビデオ信号３０３が送出されていない場合には、ステップＳ９０７へ進む。ステップＳ９０７では、ＣＰＵ６０６内のタイマ６１２を使用し、所定時間（例えば、この場合２分程度）を計測する。即ち、２分以内であれば前記ステップＳ９０６へ戻って、前記ステップＳ９０６及びステップＳ９０７でループを行ない、２分を過ぎた場合にはステップＳ９０８へ進む。ここで、２分のタイムアウトをしてステップＳ９０８へ進む場合は、何らかの原因でＡＰ１０１或いはＰＣ１０３が正常に動作していないと判断される場合である。よって、ステップＳ９０８では、表示制御部６１４を制御してプロジェクタ１０２の表示領域１０２ｂへ、例えば、『ビデオ信号が来ていません。パーソナルコンピュータ或いはアクセスポイントをご確認下さい。』といったエラーメッセージを表示した後、ステップＳ９０９へ進む。
【００６２】
ステップＳ９０９では、再度ビデオ信号３０３のチェックを行なう。前記ステップＳ９０８でのエラー表示を確認したユーザーが、エラーの原因を取り除いた場合には、ビデオ信号３０３がＰＣ１０３から送出され始めるので、ステップＳ９１０へ進んでエラー表示をクリアした後、ステップＳ９１４で通常動作を開始する。
【００６３】
一方、前記ステップＳ９０９においてビデオ信号３０３が送出されない場合には、ステップＳ９１１へ進んで電源スイッチ１０２ｃが押下されていないかをチェックし、押下されていない場合には前記ステップＳ９０９へ戻る。即ち、ビデオ信号３０３が送出されるか或いは電源スイッチ１０２ｃが押下されるまで前記ステップＳ９０９及びステップＳ９１１でループする。
【００６４】
ステップＳ９１１で、電源スイッチ１０２ｃが押下されたと判断した場合には、ステップＳ９１２で出力ポート６０７を用いて電源オン・オフ要求信号３０１をオフ状態にし、ＡＰ１０１に対して電源オフ要求信号を送った後、次のステップＳ９１３へ進む。
【００６５】
ステップＳ９１３では、出力ポート６０８によりメイン電源６０４を遮断した後、前記ステップＳ９０３へ戻る。ステップＳ９０３でのループは、前述のように電源オフ状態である。
【００６６】
以上述べたように、プロジェクタ１０２は、所定時間内にビデオ信号３０３が送出された場合には、通常動作を行ない、所定時間を超えてもビデオ信号３０３が送出されない場合には、エラーメッセージを表示する。更に、エラーメッセージを表示した後にビデオ信号３０３が送出された場合には、エラー表示をクリアした後、通常動作を行ない、電源スイッチ１０２ｃが押下された場合には、メイン電源６０４をオフするように動作する。
【００６７】
以上述べた図９のステップＳ９０５の処理を受けて、ＡＰ１０１は、図７のステップＳ７０２にて電源オン要求状態と判定する。即ち、図９のステップＳ９０３で、プロジェクタ１０２が電源スイッチ１０２ｃの押下を検出して、ステップＳ９０５でＡＰ１０１に対して電源オン要求信号を出力し、それを受けたＡＰ１０１は、ステップＳ７０３以降のステップを実行している。
【００６８】
以上述べたように、プロジェクタ１０２の電源スイッチ１０２ｃの押下に応じて、プロジェクタ１０２起動→プロジェクタ１０２からＡＰ１０１へ電源オン要求信号送出→ＡＰ１０１起動→ＡＰ１０１からＰＣ１０３へ起動パケット送信→ＰＣ１０３起動、のように連動する。
【００６９】
以上述べたように、被起動側ＰＣ１０３のＭＡＣアドレスをメモリカード２０１で供給する構成としたので、入力手段を持たないＡＰ１０１でＷａｋｅ  ｏｎＬＡＮ機能を実現するための起動パケットを送出可能となる。よって、起動パケットの送信要素として、別のＰＣを準備する必要が無く、システムの肥大化を防ぐことができるばかりでなく、本システムを電子会議システム等に適用する場合にはＡＰが必須となるので、新たな構成要素を必要とすることもない。
【００７０】
また、ＡＰ１０１に対する電源オン・オフ指示手段を備え、この指示手段からの電源オン・オフ指示に応じてＰＣ１０３に対して起動パケットを送出する構成としたので、ＡＰ１０１とＰＣ１０３の起動を連動させることができる。
【００７１】
また、プロジェクタ１０２に電源スイッチ１０２ｃを備え、プロジェクタ１０２からＡＰ１０１に対しては、電源オン・オフ要求信号を送出し、ＡＰ１０１からＰＣ１０３に対してはＬＡＮ上で起動パケットを送信する構成としたので、一つの電源スイッチ１０２ｃに対してシステムの電源を連動させるシステムが実現可能となり、プロジェクタ１０２の筐体内部にＰＣ１０３、ＡＰ１０１が配置されている場合でも、プロジェクタ１０２内部にアクセスする必要がない。
【００７２】
また、起動時にＰＣ１０３からプロジェクタ１０２へのビデオ信号３０３の出力を確認することで、正常な電源連動が確認できる。逆に、異常状態も検出できるので、異常時にプロジェクタ１０２にエラーメーッセージを表示することが可能となり、ユーザーにエラーの発生を知らせることが可能なシステムを実現できる。
【００７３】
（他の実施形態）
上述した第１の実施形態では、プロジェクタ１０２とＡＰ１０１との間を電源オン・オフ要求信号３０１で接続したが、シリアル接続、ＵＳＢ接続等、他の有線接続手段や、ＢＬＵＥＴＯＯＴＨ、８０２．１１等、種々の無線手段を用いても良い。
【００７４】
また、上述した第１の実施形態では、ＡＰ１０１は遮断する電源の無い場合を例示して説明したが、プロジェクタ１０２やＰＣ１０３の電源で説明したように、スタンバイ電源６０５とメイン電源６０４のように遮断の有無で電源を分離しても良い。
【００７５】
また、上述した第１の実施形態では、ディスプレイとしてリアプロジェクタ１０２を使用し、その筐体内部にＡＰ１０１とＰＣ１０３とを配置する例を挙げたが、本発明は、これに限定されるものではない。例えば、フロントプロジェクタ、ＣＲＴ（陰極線管）、液晶ディスプレイ、プラズマディスプレイ等のディスプレイを使用する場合にも、本発明は適用できる。この様な場合、ＡＰ１０１とＰＣ１０３とをディスプレイ内部に内蔵できない場合も多い。その場合には、プロジェクタの電源スイッチに連動してプロジェクタ１０２→ＡＰ１０１→ＰＣ１０３と起動するのではなく、ＡＰ１０１に電源スイッチを備え、該電源スイッチに応答してＡＰ１０１→ＰＣ１０３と連動する構成としても良い。加えて、ＡＰ１０１からプロジェクタ１０２へ電源オン・オフ要求信号３０１を送出し、ＡＰ１０１→プロジェクタ１０２と連動する構成としても良い。
【００７６】
また、上述した第１の実施形態では、メモリカード２０１上のＭＡＣアドレスを記載したファイルをＡＰ１０１内部のＦＲＡＳＨ  ＲＯＭ４０３にコピーして使用する場合を例示して説明したが、ＦＲＡＳＨ  ＲＯＭ４０３ではなく、ＥＥＰＲＯＭやバッテリーバックアップされたＲＡＭ等、種々の不揮発性メモリや、ハードディスク等の記憶装置にコピーしても良いし、コピーを行なわずに毎回メモリカード２０１から読み出す構成としても良い。
【００７７】
また、上述した第１の実施形態では、ＭＡＣアドレスを「ａｄｄｒｅｓｓ．ｔｘｔ」という特定のファイルに記載する場合を例示して説明したが、どのようなファイル名であっても良いことは言うまでもないし、また、ファイル形式ではなく、予めメモリカード２０１上の特定位置を定め、そこに記載されたＭＡＣアドレスを読み出し、予め定めた内部メモリ上の特定アドレスにコピーする構成としても良い。
【００７８】
以上では、本発明の様々な例と実施形態を説明したが、当業者であれば、本発明の趣旨と範囲は本明細書内の特定の説明と図に限定されるものではなく、本願特許請求の範囲に全て述べられた様々な修正と変更に及ぶことが可能であることは言うまでもない。
【００７９】
本発明の実施態様の例を以下に列挙する。
【００８０】
［実施態様１］  ネットワークに接続する第一の接続手段と、記憶媒体を装着し得る第二の接続手段とを備えたアクセスポイント装置において、
前記記憶媒体に記憶されたアドレス情報を用いて起動指示パケットを生成する起動指示パケット生成手段と、
前記第一の接続手段から前記起動指示パケットを送出する起動指示パケット送出手段と
を備えたことを特徴とするアクセスポイント装置。
【００８１】
［実施態様２］  第一の接続手段と、記憶媒体を挿抜可能な第二の接続手段とを備えたアクセスポイント装置において、
前記記憶媒体に記憶されたアドレス情報を読み出して記憶する記憶手段と、
前記アドレス情報を用いて起動指示パケットを生成する起動指示パケット生成手段と、
前記第一の接続手段から前記起動指示パケットを送出する起動指示パケット送出手段と
を備えたことを特徴とするアクセスポイント装置。
【００８２】
［実施態様３］  前記記憶媒体に前記アドレス情報が記憶されていない場合、前記記憶手段から読み出した前記アドレス情報を用いて前記起動指示パケットを生成するように制御する制御手段を備えたことを特徴とする実施態様２に記載のアクセスポイント装置。
【００８３】
［実施態様４］  前記制御手段は、前記記憶媒体が前記第二の接続手段に装着されていない場合には、前記記憶手段から読み出した前記アドレス情報を用い前記起動指示パケットを生成するように制御することを特徴とする実施態様２に記載のアクセスポイント装置。
【００８４】
［実施態様５］  前記制御手段は、前記記憶手段に前記アドレス情報が記憶されていない場合には、前記起動指示パケットを生成しないように制御することを特徴とする実施態様３または４に記載のアクセスポイント装置。
【００８５】
［実施態様６］  前記制御手段は、前記アドレス情報が記憶されている記憶媒体が前記第二の接続手段に新たに装着された場合には、前記記憶媒体に記憶された前記アドレス情報を読み出して前記記憶手段に記憶し、前記アドレス情報を用いて前記起動指示パケットを生成し、前記第一の接続手段から前記起動指示パケットを送出するように制御することを特徴とする実施態様５に記載のアクセスポイント装置。
【００８６】
［実施態様７］  前記制御手段は、前記アドレス情報が複数存在する場合、前記起動指示パケットを複数生成するように制御することを特徴とする実施態様１乃至６のいずれかに記載のアクセスポイント装置。
【００８７】
［実施態様８］    前記アドレス情報は、ＭＡＣアドレス情報であることを特徴とする実施態様１乃至７のいずれかに記載のアクセスポイント装置。
【００８８】
［実施態様９］  前記ＭＡＣアドレス情報とは、ＭＡＣアドレスの記載された特定名称のファイルであることを特徴とする実施態様８に記載のアクセスポイント装置。
【００８９】
［実施態様１０］  実施態様１に記載のアクセスポイント装置と、
前記第一の接続手段に接続された情報処理装置と、
電源スイッチを有し且つ前記情報処理装置のビデオ信号を表示する表示装置と、
前記表示装置と前記アクセスポイント装置とを接続する第三の接続手段とを具備して成り、
前記表示装置は、前記電源スイッチの押下に応答して、前記第三の接続手段を用いて前記アクセスポイント装置に第一の起動指示を送付し、
前記アクセスポイント装置は、前記表示装置からの第一の起動指示に応答して、前記第一の接続手段を用いて前記情報処理装置に第二の起動指示を送付することを特徴とするアクセスポイント装置を利用した表示システム。
【００９０】
［実施態様１１］  実施態様１乃至９のいずれかに記載のアクセスポイント装置と、
前記第一の接続手段に接続された情報処理装置と、
電源スイッチを有し且つ前記情報処理装置のビデオ信号を表示する表示装置と、
前記表示装置と前記アクセスポイント装置とを接続する第三の接続手段とを具備して成り、
前記表示装置は、前記電源スイッチの押下に応答して、前記第三の接続手段を用いて前記アクセスポイント装置に第一の起動指示を送付し、
前記アクセスポイント装置は、前記表示装置からの第一の起動指示に応答して、前記第一の接続手段を用いて前記情報処理装置に第二の起動指示を送付することを特徴とするアクセスポイント装置を利用した表示システム。
【００９１】
［実施態様１２］  前記表示装置は、所定時間を計時する計時手段と、ビデオ信号の有無を確認する確認手段と、エラーメッセージ表示手段とを備え、
前記第１の起動指示を送付後に前記計時手段を有効とし、所定時間計時後に前記確認手段の出力がビデオ信号無しの場合には、前記エラーメッセージ表示手段を有効にすることを特徴とする実施態様１０または１１に記載のアクセスポイント装置を利用した表示システム。
【００９２】
［実施態様１３］  前記表示装置は、リアプロジェクタであり、前記アクセスポイント装置及び前記情報処理装置は、筐体内部に配置されていることを特徴とする実施態様１０乃至１２のいずれかに記載のアクセスポイント装置を利用した表示システム。
【００９３】
［実施態様１４］  前記情報処理装置は、コンピュータであることを特徴とする実施態様１０乃至１３のいずれかに記載のアクセスポイント装置を利用した表示システム。
【００９４】
【発明の効果】
以上述べたように、本発明のアクセスポイント装置によれば、Ｗａｋｅ  ｏｎＬＡＮ機能を備え、且つ、簡単に被起動側情報処理装置のアドレス設定ができる。
【００９５】
また、本発明のアクセスポイント装置を利用した表示システムによれば、ユーザの一操作で表示装置、アクセスポイント装置及び情報処理装置の各電源を連動させることが可能で、構成も簡単で、電子会議システム等に適用できる。
【図面の簡単な説明】
【図１】本発明第１の実施形態に係るアクセスポイント装置及び表示システムを備えた会議システムの概略構成を示す斜視図である。
【図２】本発明第１の実施形態に係るアクセスポイント装置の全体構成を示す図である。
【図３】本発明第１の実施形態に係るアクセスポイント装置の全体構成を説明する図である。
【図４】本発明第１の実施形態に係るアクセスポイント装置の構成を説明する図である。
【図５】本発明第１の実施形態に係るアクセスポイント装置におけるパーソナルコンピュータの構成を説明する図である。
【図６】本発明第１の実施形態に係るアクセスポイント装置におけるプロジェクタの構成を説明する図である。
【図７】本発明第１の実施形態に係るアクセスポイント装置におけるプロジェクタの動作を説明する図である。
【図８】本発明第１の実施形態に係るアクセスポイント装置の動作を説明する図である。
【図９】本発明第１の実施形態に係るアクセスポイント装置におけるパーソナルコンピュータの動作を説明する図である。
【図１０】本発明第１の実施形態に係るアクセスポイント装置におけるプロジェクタの動作を説明する図である。
【図１１】本発明第１の実施形態に係るアクセスポイント装置におけるメモリカードの内容を説明する図である。
【図１２】本発明第１の実施形態に係るアクセスポイント装置内部のメモリ内容を説明する図である。
【符号の説明】
１０１      アクセスポイント装置（ＡＰ）
１０１ａ    アンテナ
１０１ｂ    メモリカード用コネクタ
１０１ｃ    ＬＡＮコネクタ
１０１ｄ    ＬＡＮコネクタ
１０２      プロジェクタ（表示装置）
１０２ａ    プロジェクタ１０２の筐体
１０２ｂ    プロジェクタ１０２の表示領域
１０２ｃ    プロジェクタ１０２の電源スイッチ
１０２ｄ    筐体１０２ａのドアノブ
１０２ｅ    筐体１０２ａの下部ドア
１０３      コンピュータ（ＰＣ：情報処理装置）
２０１      メモリカード
３０１      電源オン・オフ要求信号
３０２ａ      出力（ＬＡＮ信号）
３０２ｂ      出力
３０２ｃ      出力
３０２ｄ      出力
３０３      ビデオ信号
３０４      ＬＡＮ信号
３０５      基幹ＬＡＮ
４００      ＡＰ１０１のＣＰＵ（中央演算処理装置）
４０１      ＲＯＭ（リードオンリーメモリ）
４０２      ＲＡＭ（ランダムアクセスメモリ）
４０３      ＦＬＡＳＨ  ＲＯＭ（不揮発性メモリ）
４０４      入力ポート
４０５      有線ＬＡＮ制御部
４０６      有線ＬＡＮ制御部
４０７      無線ＬＡＮ制御部
４０８      カードコントローラ
４０９      システムバス
４１０      制御信号
４１１      ハブコントローラ
４１２      信号
５００      ＰＣ１０３のＣＰＵ（中央演算処理装置）
５０１      表示制御部
５０２      入力装置
５０３      メモリ
５０４      記憶装置
５０５      有線ＬＡＮ制御部
５０６      システムバス
５０７      電源部
５０８      ＯＲゲート素子
５０８ａ    ＯＲゲート素子５０８の出力端子
５０９      電源制御出力端子
５１０      電源制御出力
５１１      スタンバイ電源
５１１ａ    スタンバイ電源５１１の出力端子
５１２      メイン電源
５１２ａ    メイン電源５１２の出力端子
５１３      電源オン・オフ制御信号
５１３ａ    電源オン・オフ制御信号５１３の入力端子
６００      電源部
６０１      スイッチング電源
６０２      スイッチ
６０３      スタンバイ電源
６０４      メイン電源
６０５      スイッチ６０２の制御端子
６０６      ＣＰＵ（中央演算処理装置）
６０７      出力ポート
６０８      出力ポート
６０９      入力ポート
６１０      ＲＯＭ（リードオンリーメモリ）
６１１      ＲＡＭ（ランダムアクセスメモリ）
６１２      タイマ
６１３      システムバス
【図１】
2005033266.tif 000003
【図２】
2005033266.tif 000004
【図３】
2005033266.tif 000005
【図４】
2005033266.tif 000006
【図５】
2005033266.tif 000007
【図６】
2005033266.tif 000008
【図７】
2005033266.tif 000009
【図８】
2005033266.tif 000010
【図９】
2005033266.tif 000011
【図１０】
2005033266.tif 000012
【図１１】
2005033266.tif 000013
【図１２】
2005033266.tif 000014